(57)【要約】      （修正有）【課題】螺着度の調整が極めて簡単に行なえる螺子装置を提供する。【解決手段】螺子本体とレバー体Ａとを有する螺子装置であって、螺子本体には、断面非円形状部が設けられており、レバー体Ａには、螺子本体の断面非円形状部を掛止できる第１の切欠部１と、この第１の切欠部１につながると共に螺子本体の断面非円形状部を掛止できない大きさの第２の切欠部２とが設けられてなり、レバー体Ａの第１の切欠部１を螺子本体の断面非円形状部に掛止せしめてレバー体Ａを回動した場合には螺子本体を回動でき、レバー体Ａの第２の切欠部２を螺子本体の断面非円形状部に位置せしめた場合にはレバー体Ａを回動しても螺子本体が回動しないよう構成されてなる。【選択図】図１
2005261537.tif 000002
【特許請求の範囲】
【請求項１】
螺子本体とレバー体とを有する螺子装置であって、
前記螺子本体には、断面非円形状部が設けられており、
前記レバー体には、前記螺子本体の断面非円形状部を掛止できる第１の切欠部と、この第１の切欠部につながると共に前記螺子本体の断面非円形状部を掛止できない大きさの第２の切欠部とが設けられてなり、
前記レバー体の第１の切欠部を螺子本体の断面非円形状部に掛止せしめて該レバー体を回動した場合には螺子本体を回動でき、前記レバー体の第２の切欠部を螺子本体の断面非円形状部に位置せしめた場合には該レバー体を回動しても螺子本体が回動しないよう構成されてなる
ことを特徴とする螺子装置。
【請求項２】
螺子本体は、螺子部と、該螺子部の一端側に設けられた軸部とを具備してなり、
前記軸部が断面非円形状であることを特徴とする請求項１の螺子装置。
【請求項３】
第１の部材と第２の部材とを螺着する為に用いられる螺子装置であり、
レバー体は、該レバー体の不使用時には該レバー体が作動しないよう第１の部材または第２の部材に掛止されてなることを特徴とする請求項１又は請求項２の螺子装置。
【請求項４】
第１の部材または第２の部材に掛止ピンが設けられており、この掛止ピンに掛止するピン掛止用の切欠部がレバー体に設けられており、
前記ピン掛止用の切欠部を前記掛止ピンに掛止させている前記レバー体が不作動の状態では、該レバー体の第２の切欠部が螺子本体の断面非円形状部に位置し、該レバー体の第１の切欠部が螺子本体の断面非円形状部に位置しないよう構成されてなることを特徴とする請求項３の螺子装置。
【発明の詳細な説明】
【技術分野】
【０００１】
本発明は、例えば鋏の動刃と静刃とを螺着する螺子装置に関する。
【背景技術】
【０００２】
鋏は、通常、動刃と静刃（場合によっては、二つともが動刃である場合もある。）とが螺子で螺着された構造をしている。
そして、動刃と静刃とは螺子で螺着されている訳であるが、この螺子による螺着度合いは非常に重要である。例えば、螺着度が強すぎると、力を入れても動刃をスムーズに動かせず、物を上手く切れない。逆に、螺着度が弱いと、動刃と静刃とが上手く対向せず、これ、また、物を上手く切れない。
従って、例えば美容・理容鋏にあっては、美容師や理容師は、螺子の螺着度に神経を非常に使っている。
【０００３】
ところで、動刃と静刃とを螺着している螺子は、通常、軸部に螺子溝が切られたもので、その頭部にドライバ差込用の溝が形成されたものである。
【発明の開示】
【発明が解決しようとする課題】
【０００４】
上記した普通の螺子が用いられている場合、螺子の螺着度を調整しようとした場合、ドライバ差込用溝にドライバを差し込んで回さねばならない為、ドライバが必要となる。
しかしながら、美容師や理容師は、常に、ドライバを持っているものでは無い。
従って、動刃と静刃との螺着度を調整するのには非常に面倒である。
【０００５】
よって、本発明が解決しようとする課題は、例えば動刃と静刃との螺着度の調整が極めて簡単に行なえる技術を提供することである。
【課題を解決するための手段】
【０００６】
前記の課題は、螺子本体とレバー体とを有する螺子装置であって、
前記螺子本体には、断面非円形状部が設けられており、
前記レバー体には、前記螺子本体の断面非円形状部を掛止できる第１の切欠部と、この第１の切欠部につながると共に前記螺子本体の断面非円形状部を掛止できない大きさの第２の切欠部とが設けられてなり、
前記レバー体の第１の切欠部を螺子本体の断面非円形状部に掛止せしめて該レバー体を回動した場合には螺子本体を回動でき、前記レバー体の第２の切欠部を螺子本体の断面非円形状部に位置せしめた場合には該レバー体を回動しても螺子本体が回動しないよう構成されてなる
ことを特徴とする螺子装置によって解決される。
【０００７】
特に、螺子本体とレバー体とを有する螺子装置であって、
前記螺子本体は、螺子部と、該螺子部の一端側に設けられた軸部とを具備し、
前記軸部が断面非円形状であり、
前記レバー体には、前記螺子本体の断面非円形状部を掛止できる第１の切欠部と、この第１の切欠部につながると共に前記螺子本体の断面非円形状部を掛止できない大きさの第２の切欠部とが設けられてなり、
前記レバー体の第１の切欠部を螺子本体の断面非円形状部に掛止せしめて該レバー体を回動した場合には螺子本体を回動でき、前記レバー体の第２の切欠部を螺子本体の断面非円形状部に位置せしめた場合には該レバー体を回動しても螺子本体が回動しないよう構成されてなる
ことを特徴とする螺子装置によって解決される。
【０００８】
上記発明は、第１の部材と第２の部材とを螺着する為に用いられる螺子装置であり、
レバー体は、該レバー体の不使用時には該レバー体が作動しないよう第１の部材または第２の部材に掛止されていることが好ましい。すなわち、掛止機構が設けられていて、レバー体の不使用時には、レバー体が動いて邪魔になることが無いようになっているのが好ましい。
【０００９】
その為には、第１の部材または第２の部材に掛止ピンが設けられ、この掛止ピンに掛止するピン掛止用の切欠部がレバー体に設けられており、
前記ピン掛止用の切欠部を前記掛止ピンに掛止させている前記レバー体が不作動の状態では、該レバー体の第２の切欠部が螺子本体の断面非円形状部に位置し、該レバー体の第１の切欠部が螺子本体の断面非円形状部に位置しないよう構成されている。
【００１０】
尚、断面非円形状部は、一般的には四角形などの角形状のものであるが、例えば楕円形状であっても良い。すなわち、レバー体の第１の切欠部を螺子本体の該当部に掛止せしめて該レバー体を回動した場合、螺子本体が回動し得る形状であれば良い。つまり、レバー体を作動せしめても、螺子本体が空回りしないように円形でなければ良い。従って、第１の切欠部も円形では無い。
【００１１】
これに対して、第２の切欠部は、一般的には、円形である。しかしながら、第２の切欠部を大きくさえしておけば、第２の切欠部を螺子本体の断面非円形状部に位置させても、互いに掛止し合うことが無いから、四角形状でも良い。但し、切欠部を小さく出来ることから、第２の切欠部は円形状が好ましい。
【発明の効果】
【００１２】
上記のように構成させていると、螺子の螺着度を調整したいと思った時には、レバー体の第１の切欠部を螺子本体の、例えば角形状部に嵌合・掛止し、レバー体の一端（レバー体と螺子との嵌合・掛止部から遠い端部）を嵌合・掛止部を中心として回動させるのみで調整が可能である。
【００１３】
従って、ドライバ等の道具は不要であり、美容師や理容師は、動刃と静刃との螺着度の調整を極めて簡単に行なえる。すなわち、何時でも、何処ででも、動刃と静刃との螺着度の調整を極めて簡単に行なえる。従って、顧客の髪のカットを上手く行える。
【００１４】
そして、レバー体は薄板状のもので済み、かつ、レバー体は静刃に仮固定できることから、カットに際しても何ら邪魔になるものでは無い。
【００１５】
しかも、螺子本体は螺子部の他に、例えば角柱状部が有るのみで済み、そしてレバー体は切欠部が形成された薄板のもので済むから、コストも低廉である。
【発明を実施するための最良の形態】
【００１６】
図１〜図４は本発明になる螺子装置の一実施形態を示すもので、図１は螺子装置に用いられるレバー体の平面図、図２および図３は螺子装置に用いられる螺子本体の側面図および平面図、図４は本発明になる螺子装置が用いられた鋏の平面図である。
【００１７】
各図中、Ａはレバー体である。このレバー体Ａは、薄板が略勾玉状に形成された形をしている。そして、中央部から多少ずれた位置に角（四角）形状の切欠部１が形成されている。かつ、切欠部１の対角線長より僅か長い寸法を直径とする円形状の切欠部２が、切欠部１と多少オーバーラップするよう設けられている。更に、切欠部２には開口２ａが設けられている。尚、この開口２ａは、切欠部２の大きさ次第では要らない場合もある。又、開口２ａとは反対側の他端部側に切欠部３が形成されている。
【００１８】
Ｂは螺子本体である。この螺子本体Ｂは、少なくとも螺子部４を持つ。この螺子部４の一端部側にはフランジ部５が設けられており、このフランジ部５上に螺子部４と同軸となる軸部６が設けられている。尚、螺子部４の外周は円形であるが、軸部６の外周は角（四角）形である。尚、この軸部６の四角形の大きさは、レバー体Ａの四角形状の切欠部１がぴったり嵌る大きさである。そして、この軸部６の上にフランジ７が設けられている。尚、フランジ７の大きさは円形状の切欠部２より大きなものであって、レバー体Ａが軸部６から上側に抜け取れないようになっている。又、図３からも判る通り、フランジ７の頂面には溝などは形成されていない。
【００１９】
１０は動刃、１１は静刃である。尚、共に、動刃であっても良い。
【００２０】
そして、動刃１０と静刃１１とを組み合わせ、図４に示される如く、螺子孔に螺子本体Ｂを捩じ込むことによって鋏が組み立てられる。更に、レバー体Ａの開口２ａから切欠部２を軸部６に位置させると共に、静刃１１に植立されているピン１２に切欠部３を掛止させる。
【００２１】
この切欠部３のピン１２への掛止状態にて、美容師（理容師）は図４に示される鋏を使って顧客の髪をカットできる。
【００２２】
そして、螺子本体Ｂによる螺着度が強い場合、或いは弱い場合には、美容師（理容師）は、先ず、切欠部３とピン１２との掛止を外す。次いで、レバー体Ａの四角形状の切欠部１を四角形状の軸部６に嵌め合わす。そして、レバー体Ａを時計方向または反時計方向に回すことによって、螺子本体Ｂによる螺着度が弱められたり、強められたりする。
【００２３】
螺着度の調整後には、螺子本体Ｂの四角形状の軸部６にはレバー体Ａの切欠部２を位置させると共に、静刃１１に植立されているピン１２にレバー体Ａの切欠部３を掛止させ、仮固定する。これにより、レバー体Ａを動かしても螺子本体Ｂは回らない。かつ、螺子本体Ｂ側からの力もレバー体Ａを作動させないようになる。尚、レバー体Ａの仮固定は静刃１１に対してのものであるから、レバー体Ａは鋏の使用中にあっても動作し難いものである。
従って、動刃１０と静刃１１との締付度合いを簡単に調整できる。
【図面の簡単な説明】
【００２４】
【図１】本発明になる螺子装置に用いられるレバー体の平面図
【図２】本発明になる螺子装置に用いられる螺子本体の側面図
【図３】本発明になる螺子装置に用いられる螺子本体の平面図
【図４】本発明になる螺子装置が用いられた鋏の平面図
【符号の説明】
【００２５】
Ａ        レバー体
１        四角形状切欠部（第１の切欠部）
２        円形状切欠部（第２の切欠部）
３        切欠部（ピン掛止用切欠部）
Ｂ        螺子本体
４        螺子部
６        四角形状軸部（断面非円形状部）
１０      動刃
１１      静刃
特許出願人  株式会社ヒカリ
代  理  人  宇  高  克  己
【図１】
2005261537.tif 000003
【図２】
2005261537.tif 000004
【図３】
2005261537.tif 000005
【図４】
2005261537.tif 000006